(57)【特許請求の範囲】
【請求項１】
壁面に面する開口部の開口縁の上下方向の一辺と長手方向とが平行するように当該開口縁の上下方向の一辺に沿って取り付けられている状態において、当該壁面と対向する背面部と、前記背面部の前記長手方向に沿った一対の側縁から前方に突出して設けられた一対の側面部とを有する器体と、
前記器体に収納されて光を放射する発光部とを有し、
前記器体は、前記一対の側面部の間よりも狭く前記長手方向に細長い開口窓が前面に形成され、前記開口窓の幅方向において、前記開口窓を介して前記発光部から外部へ放射される光による前記壁面への照射を防止するガイド灯であって、
前記長手方向と直交する面において前記発光部と前記開口窓の両縁とを結ぶ２つの直線でなす角度より前記開口窓から外部に放射される光の広がり角を広げる配光制御手段をさらに有し、
前記配光制御手段は、前記開口窓を覆うように設けられた透光部材と、前記発光部を覆うように前記器体内部の前記前面側に充填され前記透光部材よりも屈折率が高い透光性充填剤とを含み、前記器体内部の後面側には空間が形成されている
ことを特徴とするガイド灯。
【請求項２】
壁面に面する開口部の開口縁の上下方向の一辺と長手方向とが平行するように当該開口縁の上下方向の一辺に沿って取り付けられている状態において、当該壁面と対向する背面部と、前記背面部の前記長手方向に沿った一対の側縁から前方に突出して設けられた一対の側面部とを有する器体と、
前記器体に収納されて光を放射する発光部とを有し、
前記器体は、前記一対の側面部の間よりも狭く前記長手方向に細長い開口窓が前面に形成され、前記開口窓の幅方向において、前記開口窓を介して前記発光部から外部へ放射される光による前記壁面への照射を防止するガイド灯であって、
前記長手方向と直交する面において前記発光部と前記開口窓の両縁とを結ぶ２つの直線でなす角度より前記開口窓から外部に放射される光の広がり角を広げる配光制御手段をさらに有し、
前記配光制御手段は、前記開口窓を覆うように設けられ出射面に複数の凸部が形成されたプリズムであり、当該プリズムの各凸部が、前記開口窓と直交する面と、先端側にいくほど当該面側に傾斜して当該面と鋭角をなす斜面とを有する
ことを特徴とするガイド灯。
【請求項３】
前記発光部は、前記長手方向に離隔して設けられ光を放射する複数の点光源を有することを特徴とする請求項１又は２記載のガイド灯。
【発明の詳細な説明】
【技術分野】
【０００１】
本発明は、壁面にある開口部の存在を明確にするためのガイド灯に関するものである。
【背景技術】
【０００２】
通路などの壁面には、例えばある通路から分岐する別の通路の入口やエレベータの乗降口、自動扉又は非常扉の出入口など、多数の開口部が存在する。そして、エレベータの扉の周囲、自動扉や非常扉の上方には、案内表示灯や誘導灯などが設置されていることが多い。
【０００３】
ところが、弱視の歩行者は上記案内表示灯や誘導灯の文字やマークを判読することが難しく、また、上記案内表示灯や誘導灯は表示スペースの点から縦横ともに幅を持っているため、弱視の歩行者にとって、案内表示灯や誘導灯からの光を他の照明器具からの光と誤認しやすく、壁面にある開口部の存在を認識するのが困難であるという問題があった。
【０００４】
上記問題を解決するために、図１１に示すように、扉６０の周囲に沿ってガイド灯６を取り付けるという手段が考えられる。なお、特許文献１にも、通路奥にある扉の周囲に設けられた照明器具が開示されている。
【特許文献１】特開２００５−３４２２２２号公報（段落００１８及び図２）
【発明の開示】
【発明が解決しようとする課題】
【０００５】
しかしながら、従来のガイド灯６は、図１１に示すように、通路２の壁面２０ではなく、通路２から奥まった位置にある扉６０の周囲に沿って取り付けられているため、通路２にいる弱視の歩行者５にとってガイド灯６からの光が見えにくいという問題があった。
【０００６】
また、図１２に示すように、従来のガイド灯６は、光源６１から前方に光を放射するだけでなく、光源６１から壁面２０にも光を照射してしまうため、光源６１からの光が線状ではなく幅の広い光となってしまう。また、弱視の歩行者５にとっては、従来のガイド灯６の周囲の壁面２０が明るすぎるため、ハレーションを起こしたように見えたり、白濁して見えたりもする。その結果、弱視の歩行者５にとって、ガイド灯６からの光を他の照明器具からの光と区別することが難しかった。
【０００７】
上記より、従来のガイド灯６を扉６０の周囲に取り付けても、弱視の歩行者５にとって、依然として開口部の存在を認識するのが困難であるという問題があった。
【０００８】
本発明は上記の点に鑑みて為されたものであり、その目的は、弱視の歩行者が開口部の存在を視認することができるガイド灯を提供することにある。
【課題を解決するための手段】
【０００９】
請求項１の発明は、壁面に面する開口部の開口縁の上下方向の一辺と長手方向とが平行するように当該開口縁の上下方向の一辺に沿って取り付けられている状態において、当該壁面と対向する背面部と、前記背面部の前記長手方向に沿った一対の側縁から前方に突出して設けられた一対の側面部とを有する器体と、前記器体に収納されて光を放射する発光部とを有し、前記器体は、前記一対の側面部の間よりも狭く前記長手方向に細長い開口窓が前面に形成され、前記開口窓の幅方向において、前記開口窓を介して前記発光部から外部へ放射される光による前記壁面への照射を防止するガイド灯であって、前記長手方向と直交する面において前記発光部と前記開口窓の両縁とを結ぶ２つの直線でなす角度より前記開口窓から外部に放射される光の広がり角を広げる配光制御手段をさらに有し、前記配光制御手段は、前記開口窓を覆うように設けられた透光部材と、前記発光部を覆うように前記器体内部の前記前面側に充填され前記透光部材よりも屈折率が高い透光性充填剤とを含み、前記器体内部の後面側には空間が形成されていることを特徴とする。
【００１０】
請求項２の発明は、壁面に面する開口部の開口縁の上下方向の一辺と長手方向とが平行するように当該開口縁の上下方向の一辺に沿って取り付けられている状態において、当該壁面と対向する背面部と、前記背面部の前記長手方向に沿った一対の側縁から前方に突出して設けられた一対の側面部とを有する器体と、前記器体に収納されて光を放射する発光部とを有し、前記器体は、前記一対の側面部の間よりも狭く前記長手方向に細長い開口窓が前面に形成され、前記開口窓の幅方向において、前記開口窓を介して前記発光部から外部へ放射される光による前記壁面への照射を防止するガイド灯であって、前記長手方向と直交する面において前記発光部と前記開口窓の両縁とを結ぶ２つの直線でなす角度より前記開口窓から外部に放射される光の広がり角を広げる配光制御手段をさらに有し、前記配光制御手段は、前記開口窓を覆うように設けられ出射面に複数の凸部が形成されたプリズムであり、当該プリズムの各凸部が、前記開口窓と直交する面と、先端側にいくほど当該面側に傾斜して当該面と鋭角をなす斜面とを有することを特徴とする。
【００１１】
請求項３の発明は、請求項１又は２の発明において、前記発光部は、前記長手方向に離隔して設けられ光を放射する複数の点光源を有することを特徴とする。
【発明の効果】
【００１２】
請求項１，２の発明によれば、灯具からの照射光が壁面に照射するのを防止することができるので、上記照射光が壁面の開口部の開口縁に沿った線状の光となり、上記開口部の輪郭を明確にすることができ、その結果、弱視の歩行者は上記開口部の存在を視認することができる。
【００１３】
また、請求項１，２の発明によれば、発光部からの照射光を広範囲に照射することができるので、弱視の歩行者は開口部の存在を広範囲から視認することができる。
【００１４】
請求項３の発明によれば、点光源の前面では明るく、点光源間の前面では点光源の前面より暗くなり、照射光の明暗を一の方向に沿って繰り返すことができるので、例えば照明負荷など他の光源と容易に区別して認識することができ、弱視の歩行者の視認性をさらに向上させることができる。
【発明を実施するための最良の形態】
【００１５】
（実施形態１）
まず、実施形態１のガイド灯１の構成について図１，２を用いて説明する。このガイド灯１は、図１に示すように、前面に開口窓１００が形成された器体１０と、器体１０に収納され開口窓１００に向かって照射光を放射するＬＥＤユニット１１と、ＬＥＤユニット１１に電源を供給する電源ユニット１２と、器体１０の開口窓１００を覆う透光部材１３とを備えている。
【００１６】
器体１０は、前面に開口窓１００が形成された細長い箱状のものであり（図２参照）、長方形状の背面部１０１と、背面部１０１の長手方向（図１の手前から奥方向）に沿った両側縁（左右側縁）のそれぞれから前方に延設された長方形状の側面部１０２，１０２と、背面部１０１の短手方向に沿った両側縁（上下側縁）から背面部１０１の前方に延設された長方形状の側面部１０３，１０３（図２参照）とを一体に備えている。
【００１７】
ＬＥＤユニット１１は、複数個のＬＥＤパッケージ１１０と、これらのＬＥＤパッケージ１１０が一の方向（図１の手前から奥方向）に並んで実装される実装基板１１１とから構成される。各ＬＥＤパッケージ１１０は、ＬＥＤチップ１１２と、ＬＥＤチップ１１２の底面及び側面を覆うパッケージ本体１１３とから構成される。
【００１８】
各ＬＥＤチップ１１２から放射された光の集合は細長い光となり、前方（透光部材１３の方向）を照射する。一方、パッケージ本体１１３によって左右方向から背面方向の範囲には光が放射されない。また、各ＬＥＤチップ１１２からの光は、弱視の歩行者５が認識しやすいように点滅ではなく連続的に発光される。さらに、各ＬＥＤチップ１１２からの光は信号性や意味性を排除し、わかりやすくするために、発光色が白色又は電球色である。なお、単色であれば、色弱の歩行者５も視認しやすい緑色であってもよい。
【００１９】
電源ユニット１２は、ＬＥＤユニット１１と電気的に接続し、ＬＥＤユニット１１とともに器体１０に収納されている。なお、電源ユニット１２は、器体１０の薄型化のために器体１０に収納されるのではなく、器体１０とは別に設けられる構成であってもよい。
【００２０】
透光部材１３は、板状に形成されたカバーであり、空気よりも屈折率が大きく、器体１０にＬＥＤユニット１１及び電源ユニット１２が収納された状態で開口窓１００を覆うように取り付けられている。
【００２１】
次に、本実施形態のガイド灯１の使用方法について図３，４を用いて説明する。まず、図３に示すように、建築物の通路２における壁面２０に面した開口部３の開口縁４（開口部３の稜線近傍）に、ガイド灯１が、長手方向が壁面２０に面する開口部３の開口縁４の一辺と平行するように上記開口縁４の一辺に沿って取り付けられる。本実施形態では、開口縁４の左縁、右縁及び上縁にそれぞれガイド灯１が取り付けられる。ここで、開口部３とは、例えば通路２から分岐された新たな通路２１の入口やエレベータの乗降口、自動扉又は非常扉の出入口などをいう。開口縁４に取り付けられたガイド灯１では、ＬＥＤユニット１１（図１参照）から透光部材１３（図１参照）に向かって光が放射される。透光部材１３に放射された光は、透光部材１３を透過してガイド灯１の外部を照射する。このとき、図１に示す各ＬＥＤパッケージ１１０のパッケージ本体１１３や器体１０の背面部１０１、側面部１０２，１０３によって、ＬＥＤチップ１１２からの光が通路２の壁面２０を照射するのを防止している。つまり、本実施形態では、パッケージ本体１１３や器体１０の背面部１０１、側面部１０２，１０３が第１の配光制御手段となり、ＬＥＤチップ１１２からの光がガイド灯１の取付面である壁面２０に配光しない構造である。
【００２２】
上記のように、開口縁４にガイド灯１が取り付けられると、図４に示すように、歩行者５が通路２のどの方向から来ても、ガイド灯１からの光が放射されているのを視認することによって、視認した光の位置に開口部３があることを認識することができる。また、通路２１から来た歩行者５も、ガイド灯１のある方向に通路２が展開していると判断することができる。
【００２３】
以上、本実施形態によれば、図１に示すように、ＬＥＤユニット１１のＬＥＤチップ１１２からの照射光が壁面２０に照射することを防止するため、上記照射光が壁面２０の開口部３の開口縁４に沿った線状の光となり、上記開口部３の輪郭を明確にすることができるので、通路２にいる弱視の歩行者５（図４参照）は他の照明器具からの光と誤認することなく上記開口部３の存在を視認することができる。
【００２４】
また、病院などでは通路２の床のうち壁面２０との境界付近に線状のマーカー線が加えられることによって、上記境界付近と他の場所とでコントラストを変えて弱視の歩行者５のガイドとしているが、上記マーカー線に交差する形で開口縁４を光で強調することによって、空間として認識しやすくなる。
【００２５】
（実施形態２）
実施形態２のガイド灯１ａは、図５に示すように、ＬＥＤユニット１１に代えて蛍光灯（例えば直管型）１４を備えている点で、実施形態１のガイド灯１（図１参照）と相違している。蛍光灯１４からは全方向に光が放射されるが、器体１０の背面部１０１及び側面部１０２によって、蛍光灯１４からの光が壁面２０を照射するのを防止することができる。つまり、器体１０の背面部１０１及び側面部１０２が第１の配光制御手段となる。
【００２６】
以上、本実施形態によれば、蛍光灯１４を用いた場合であっても、実施形態１と同様に、壁面２０の開口部３の輪郭を明確にすることができるので、通路２にいる弱視の歩行者５（図４参照）は開口部３の存在を視認することができる。
【００２７】
（実施形態３）
実施形態３のガイド灯１ｂは、図６に示すように、ＬＥＤユニット１１が壁面２０に直接取り付けられている点で、実施形態１のガイド灯１（図１参照）と相違している。なお、実施形態１と同様の構成要素については、同一の符号を付して説明を省略する。
【００２８】
本実施形態のＬＥＤユニット１１も、実施形態１と同様に、ＬＥＤチップ１１２からの光は前方に照射される。つまり、パッケージ本体１１３によって左右方向から背面方向の範囲には光が放射されない。
【００２９】
以上、本実施形態によれば、ＬＥＤユニット１１が壁面２０に直接取り付けられた場合であっても、実施形態１と同様に、壁面２０の開口部３の輪郭を明確にすることができるので、通路２にいる弱視の歩行者５（図４参照）は開口部３の存在を視認することができる。
【００３０】
（実施形態４）
ところで、図４に示すように、通路２に開口部３があった場合、あらゆる方向から歩行者５が近づいてくるため、壁面２０と平行する方向にもなるべく多くの光が放射されるほうがよい。
【００３１】
そこで、実施形態４のガイド灯１は、図１に示す実施形態１のガイド灯１と同様の外観であるが、透光部材１３を乳白拡散パネルとしている。なお、実施形態１と同様の構成要素については、同一の符号を付して説明を省略する。
【００３２】
本実施形態のガイド灯１では、ＬＥＤチップ１１２からの光が乳白拡散パネルによって拡散して外部の広範囲に放射される。また、透光部材１３ａを乳白拡散パネルとしているため、歩行者５からは透光部材１３ａが擬似的に光源のように見える。
【００３３】
以上、本実施形態によれば、透光部材１３として乳白拡散パネルを用いることによって、発光部であるＬＥＤチップ１１２からの照射光を広範囲に照射することができるので、通路２にいる弱視の歩行者５（図４参照）は開口部３の存在を広範囲から視認することができる。
【００３４】
（実施形態５）
実施形態５のガイド灯１ｃは、図７に示すように、器体１０内部の前面側（透光部材１３側）に透光性充填剤１５がＬＥＤユニット１１を覆うように充填されている点で、実施形態１のガイド灯１（図１参照）と相違している。なお、実施形態１と同様の構成要素については、同一の符号を付して説明を省略する。
【００３５】
透光性充填剤１５は、例えばシリコーン樹脂などであり、透光部材１３よりも屈折率が大きいものである。また、透光性充填剤１５は、空気よりも比重が重い。
【００３６】
次に、本実施形態のガイド灯１ｃからの照射光の光路について図７を用いて説明する。ＬＥＤチップ１１２から前方真っ直ぐに放射された光ａ１は、器体１０内部に充填された透光性充填剤１５内を進み、透光部材１３に入射するときも、透光部材１３から外部に出射するときも入射角が小さいので、大きく屈折することがなく、そのまま透光部材１３から前方真っ直ぐに出射される。
【００３７】
一方、ＬＥＤチップ１１２から斜め前方に放射された光ａ２は、透光性充填剤１５内を進み、透光部材１３に入射する。このとき、透光部材１３の入射面において、透光性充填剤１５の屈折率が透光部材１３の屈折率より大きいため、光ａ２の出射角は入射角よりも大きくなる。そして、透光部材１３の出射面において、透光部材１３の屈折率が空気の屈折率より大きいため、光ａ２の出射角は入射角よりも大きくなる。上記より、透光性充填剤１５によって、開口窓１００（透光部材１３）から外部に照射光として放射される光の広がり角は、ＬＥＤチップ１１２と開口窓１００の両縁とを結ぶ２つの直線でなす角度より広げることができる。
【００３８】
以上、本実施形態によれば、ＬＥＤユニット１１と透光部材１３の間が透光性充填剤１５で充填されることによって、発光部であるＬＥＤチップ１１２からの光を広範囲に照射することができるので、通路２にいる弱視の歩行者５（図４参照）は開口部３の存在を広範囲から視認することができる。
【００３９】
（実施形態６）
実施形態６のガイド灯１ｄは、図８に示すように、透光部材１３に代えてプリズム１６を備えている点で、実施形態１のガイド灯１（図１参照）と相違している。なお、実施形態１と同様の構成要素については、同一の符号を付して説明を省略する。
【００４０】
プリズム１６は、入射面１６０が平面である一方、出射面１６１は、中央部１６２が平面であり、中央部１６２の両側にそれぞれ複数の凸部１６３が形成されている。各凸部１６３は、入射面１６０と直交する方向に沿う面１６４と、端縁側にいくほど入射面１６０側に傾斜する傾斜面１６５とから構成されている。
【００４１】
次に、本実施形態のガイド灯１ｄからの照射光の光路について図８を用いて説明する。まず、ＬＥＤチップ１１２から前方真っ直ぐに放射された光ｂ１は、入射面１６０に直交して入射されるので、入射面１６０で大きく屈折することなく、また、出射面１６１も平面であるため、出射面１６１でも大きく屈折することがない。したがって、光ｂ１は、出射面１６１と直交する方向に放射される。
【００４２】
一方、ＬＥＤチップ１１２から斜め前方に放射された光ｂ２は、プリズム１６に入射し、出射面１６１の傾斜面１６５において、透光部材１３（図１参照）の場合（出射面が平面である場合）よりさらに広がり角が広がるように屈折して外部に放射される。したがって、プリズム１６によって、開口窓１００（プリズム１６）から外部に照射光として放射される光の広がり角は、ＬＥＤチップ１１２と開口窓１００の両縁とを結ぶ２つの直線でなす角度より広げることができる。
【００４３】
以上、本実施形態によれば、透光部材１３に代えてプリズム１６を用いることによって、発光部であるＬＥＤチップ１１２からの光を広範囲に照射することができるので、通路２にいる弱視の歩行者５（図４参照）は開口部３の存在を広範囲から視認することができる。
【００４４】
（実施形態７）
実施形態７のガイド灯１ｅは、図９に示すように、透光部材１３に代えて前方（外側）に凸状の透光部材１３ａを備える点で、実施形態１のガイド灯１（図１参照）と相違している。なお、実施形態１と同様の構成要素については、同一の符号を付して説明を省略する。
【００４５】
ＬＥＤチップ１１２から斜め前方に放射された光は、実施形態６と同様に、凸状の透光部材１３ａで屈折し、透光部材１３（図１参照）の場合よりも広がり角を広げて外部に放射される。
【００４６】
また、透光部材１３ａが開口窓１００から前方に突出して設けられていることから、長手方向（図９の手前から奥方向）と直交する面において、図９に示すように透光部材１３ａの右面１３０から前方側に延びた延長線Ａ１より左側の通路２にいる歩行者５から見ることができる透光部材１３ａの面積（歩行者５の視点からの水平見込角ω１）は、板状の透光部材１３（図１参照）を用いた場合の面積（水平見込角ω２）に比べて大きくなる。その結果、歩行者５の視認性をさらに高めることができる。同様に、透光部材１３ａの左面１３１の延長線Ａ２より右側の通路２にいる歩行者から見ることができる透光部材１３ａの面積も大きくなり、その結果、歩行者５の視認性をさらに高めることができる。
【００４７】
以上、本実施形態によれば、凸状の透光部材１３ａを備えることによって、発光部であるＬＥＤチップ１１２からの光を広範囲に照射することができるので、通路２にいる弱視の歩行者５（図４参照）は開口部３の存在を広範囲から視認することができる。
【００４８】
なお、実施形態７の変形例として、透光部材１３ａを乳白色としてもよい。このようにすると、ＬＥＤチップ１１２からの光が透光部材１３ａで拡散するため、歩行者５からは透光部材１３ａが擬似的に光源のように見える。そして、透光部材１３ａが開口窓１００よりも前方に突出して設けられているので、上記のように擬似的に光源と見える面積も大きくなり、歩行者５は遠方からでも視認することができる。
【００４９】
（実施形態８）
実施形態８のガイド灯１ｆは、図１０に示すように、ＬＥＤユニット１１ａとして、複数のＬＥＤパッケージ１１０が離隔して実装基板１１１に実装されたものを備える点で、実施形態１のガイド灯１（図１参照）と相違している。つまり、ＬＥＤユニット１１ａには、ＬＥＤパッケージ１１０が規則的に直線状に配列されている。上方からの断面図は実施形態１のガイド灯１（図１参照）と同様である。なお、実施形態１と同様の構成要素については、同一の符号を付して説明を省略する。
【００５０】
本実施形態のように、複数のＬＥＤパッケージ１１０の配列に規則性を持たせることによって、歩行者５に対して、他の光源と誤認させることなく、開口部３の存在を把握させるための光と認識させることができる。
【００５１】
以上、本実施形態によれば、点光源である各ＬＥＤパッケージ１１０の前面では明るく、隣接する２つのＬＥＤパッケージ１１０，１１０間の前面ではＬＥＤパッケージ１１０の前面より暗くなり、照射光の明暗を一の方向（開口縁４の一辺）に沿って繰り返すことができるので、例えば照明負荷など他の光源と容易に区別して認識することができ、弱視の歩行者５（図４参照）の視認性をさらに向上させることができる。
【００５２】
また、点光源である各ＬＥＤパッケージ１１０を線状（一の方向）に並べることにより、少ない光量で線状のガイド用の光を形成することができる。
【００５３】
なお、透光部材１３として半乳白拡散パネルやプリズムを使用し、ＬＥＤユニット１１ａからの光の輝度を完全に分散しない程度に拡散させる（屈折させる）ことによって、歩行者５にとって眩しくならないように輝度を調節することができる。
【００５４】
また、実施形態８の変形例として、実施形態３〜７のようなガイド灯１ｂ〜１ｅに実施形態８のＬＥＤユニット１１ａを用いたものであってもよい。このような構成のガイド灯であっても、実施形態８と同様の効果を奏する。
【００５５】
なお、実施形態１〜８のガイド灯１，１ａ〜１ｆは、発光面が露出するように壁面２０に埋め込まれた状態で用いても構わない。このように取り付けられると、ガイド灯１，１ａ〜１ｆが壁面２０から突出しないので、歩行者５にとって邪魔にならないようにすることができる。
【００５６】
実施形態１の変形例として、ＬＥＤチップ１１２から器体１０の側面部１０２，１０２方向に放射された光を反射させ、その光を開口窓１００（透光部材１３）を介して外部に放射させるような反射板を器体１０に収納してもよい。このような構成にすると、ＬＥＤチップ１１２から側面部１０２，１０２方向に放射された光も照射光として開口窓１００（透光部材１３）から外部に放射させることができるとともに、上記外部に放射される光の広がり角を、ＬＥＤチップ１１２と開口窓１００の両縁とを結ぶ２つの直線でなす角度より広げることができる。その結果、発光部であるＬＥＤチップ１１２からの光を広範囲に照射することができるので、通路２にいる弱視の歩行者５は開口部３の存在を広範囲から視認することができる。
【図面の簡単な説明】
【００５７】
【図１】実施形態１のガイド灯の断面図である。
【図２】同上のガイド灯の外観図である。
【図３】同上のガイド灯の使用状態を示す図である。
【図４】同上のガイド灯の使用状態を示す図である。
【図５】実施形態２のガイド灯の断面図である。
【図６】実施形態３のガイド灯の断面図である。
【図７】実施形態５のガイド灯の断面図である。
【図８】実施形態６のガイド灯の断面図である。
【図９】実施形態７のガイド灯の断面図である。
【図１０】実施形態８のガイド灯のＬＥＤユニットを示す図である。
【図１１】従来例のガイド灯の使用状態を示す図である。
【図１２】同上のガイド灯の断面図である。
【符号の説明】
【００５８】
１，１ａ〜１ｆ  ガイド灯
１０  器体
１００  開口窓
１０１  背面部
１０２，１０３  側面部
１１，１１ａ  ＬＥＤユニット
１１０  ＬＥＤパッケージ
１１２  ＬＥＤチップ
１１３  パッケージ本体
１２  電源ユニット
１３，１３ａ  透光部材
１５  透光性充填剤
１６  プリズム
２  通路
２０  壁面
３  開口部
４  開口縁
【図１】
0005102559.tif 000002
【図２】
0005102559.tif 000003
【図３】
0005102559.tif 000004
【図４】
0005102559.tif 000005
【図５】
0005102559.tif 000006
【図６】
0005102559.tif 000007
【図７】
0005102559.tif 000008
【図８】
0005102559.tif 000009
【図９】
0005102559.tif 000010
【図１０】
0005102559.tif 000011
【図１１】
0005102559.tif 000012
【図１２】
0005102559.tif 000013